(57)【要約】      （修正有）【課題】激しい運動等により体を動かした場合でも、生理用ナプキンがずれることなく、また、よじれることなく違和感を感じさせない程度の適度のフィット性を得ることができる生理用下着を提供する。【解決手段】主に前身頃２と後身頃３及び股布４から構成される下着本体１の内面側に、吸収性物品を当てがって保持するための防水布５を設けるとともに、前記股布４は、その長手方向中央ライン部に沿って内面側に取り付けられたストレッチテープ６を有しており、さらに、前記ストレッチテープ６は、伸縮抑制機能部分７を前記股布４の中央に有する一方、その伸縮抑制機能部分７の前後に伸縮機能部分８ａ，８ｂを有している。【選択図】図２
0003158173.tif 000002
【実用新案登録請求の範囲】
【請求項１】
主に前身頃と後身頃及び股布から構成される下着本体の内面側に、吸収性物品を当てがって保持するための防水布を設けるとともに、
前記股布は、その長手方向中央ライン部に沿って内面側に取り付けられたストレッチテープを有しており、
さらに、前記ストレッチテープは、伸縮抑制機能部分を前記股布の中央に有する一方、その伸縮抑制機能部分の前後に伸縮機能部分を有することを特徴とする生理用下着。
【請求項２】
前記ストレッチテープは、その長手方向に施される縦糸に対し横糸の打ち込み密度を変化させることにより、伸びを抑えた前記伸縮抑制機能部分と、縦糸に対し横糸の打ち込み密度を変化させない前記伸縮機能部分より構成してあり、
さらに、前記伸縮機能部分は、少なくとも前記股布の長手方向中央ライン部にギャザーをつけるため縫着される股布側よりも短い長手方向の長さを有しており、
前記ストレッチテープを下着本体に縫製する際に前記伸縮機能部分を引き伸ばした状態で縫製されている請求項１に記載の生理用下着。
【請求項３】
前記ストレッチテープは、前記股布の前後端縁部間に取り付けられるか、あるいは、前記股布の前後端縁部の両方を超えて前後に長く取り付けられるか、あるいは、前記股布の前端縁部から前記股布の後端縁部を超えて取り付けられる請求項１または２に記載の生理用下着。
【考案の詳細な説明】
【技術分野】
【０００１】
この考案は、生理用下着に関するものである。
【背景技術】
【０００２】
従来この種の生理用下着として、着用したときに生理用ナプキンの肌へのフィット性を保つため伸縮性を有するストレッチテープを股布の例えば前後端縁部間に取り付ける技術が下記特許文献１，２に提案されている。
【０００３】
特許文献１には、吸湿性の表生地（外側生地）と撥水性の裏生地（内側生地）の２枚の生地を重ねた股布の表生地の裏面に、ゴムテープ等の伸縮力の強いストレッチテープを有するショーツが開示されている。すなわち、前記ショーツは、表生地の裏面の中央よりやや前身頃側に寄せて取り付けた交差生地を前記ストレッチテープと直角に交差する状態で有しており、前記交差生地は、その左右両端縁を表生地の左右側縁に縫着されている。そして、前記ストレッチテープは、表生地の縦中心線に沿って、かつ表生地の長さ方向全長にわたって千鳥縫いによって縫着されているとともに、前記ストレッチテープにおける前記交差生地よりも後身頃側は前記ストレッチテープを伸ばした状態で表生地に縫着して、表生地の縫着部分を前後に縫い縮めることによりギャザーを寄せてある。
【０００４】
一方、特許文献２には、ショーツ本体の伸縮性股布（第１の股布）の内側面に、生理用ナプキンを当てがって保持するための第２の股布をその前後端縁部はショーツ本体に縫合された状態で、かつ、その左右の両縁部はショーツ本体と結合していない状態で設け、前記第２の股布の裏側で、かつ前記第２の股布の長手方向中央ライン部に沿ってストレッチテープを取り付け、さらに、前記第２の股布の左右の両縁部の長さが、縫着される伸縮性股布側の左右の両縁部の長さよりも短く形成されており、また、前記ストレッチテープの長さが、縫着される第２の股布側よりも短く形成されており、前記第２の股布の左右の両縁部を引き伸ばして第２の股布をショーツ本体に縫合するとともに、前記ストレッチテープを引き伸ばした状態で第２の股布の縫着部分を前後に縫い縮めることによりギャザーを寄せてあるショーツが開示されている。
【先行技術文献】
【特許文献】
【０００５】
【特許文献１】実用新案登録第３０６６７０８号公報
【特許文献２】特許第３３７２５１０号公報
【考案の概要】
【考案が解決しようとする課題】
【０００６】
ところで、特許文献１では、生理用ナプキンを股布の所定箇所に貼着してショーツを着用すると、股布の表裏両生地全体が伸長し、前記ストレッチテープと前記交差生地も伸長し、生理用ナプキンを股部に強く密着させることになるとともに、激しい運動等により体を動かした場合でも、前記ストレッチテープと前記交差生地がクロスしているので、生理用ナプキンの横ズレを防止することができ、また、前記交差生地自体が表裏両生地（股布）より厚手で、かつ剛性を有しているので、股布全体の形状を縮めることなく保持して生理用ナプキンの横縮み（よじれ）を防止することができるけれども、激しい運動等により体を動かした場合、生理用ナプキンが前後にずれるのを防止すること、すなわち、生理用ナプキンの前後のズレ（縦ズレ）を防止するのは難しい、という課題がある。
【０００７】
また、特許文献２では、第２の股布がストレッチテープを介して伸縮性股布（第１の股布）に取り付けられているとともに、前記第２の股布の左右の両縁部を引き伸ばして第２の股布をショーツ本体に縫合するとともに、前記ストレッチテープを引き伸ばした状態で第２の股布の縫着部分を前後に縫い縮めることによりギャザーを寄せてあるので、第２の股布に生理用ナプキンを当てがって保持した状態でショーツを着用した場合に、第２の股布の幅方向の断面形状が、第２の股布の左右の両縁部近傍ならびに第２の股布の長手方向中央ライン部が人体方向に盛り上がったような略Ｗ形状となり、第２の股布の長手方向中央ライン部が陰裂部に密着するとともに、その周囲の第２の股布の左右の両縁部近傍も着用者の皮膚に密着して、経血の漏れを完全に防止するとともに、激しい運動等により体を動かした場合でも、生理用ナプキンがずれたり、また、生理用ナプキンがよじれたりするのを防止することができるけれども、場合によっては生理用ナプキンが必要以上にフィットして陰裂部や皮膚にくいこんでしまい、そのため、着用者によっては違和感を感じさせるきらいがある、という課題がある。
【０００８】
この考案は、上述の事柄に留意してなされたもので、その目的は、激しい運動等により体を動かした場合でも、生理用ナプキンがずれることなく、また、よじれることなく違和感を感じさせない程度の適度のフィット性を得ることができる生理用下着を提供することである。
【課題を解決するための手段】
【０００９】
上記目的を達成するために、この考案の生理用下着は、主に前身頃と後身頃及び股布から構成される下着本体の内面側に、吸収性物品を当てがって保持するための防水布を設けるとともに、
股布部分（通称：マチ部）は、その長手方向中央ライン部に沿って内面側に取り付けられたストレッチテープを有しており、
さらに、前記ストレッチテープは、伸縮抑制機能部分を前記股布の中央に有する一方、その伸縮抑制機能部分の前後に伸縮機能部分を有することを特徴としている（請求項１）。
【００１０】
そして、この考案では、前記ストレッチテープは、その長手方向に施される縦糸に対し横糸の打ち込み密度を変化させることにより、伸びを抑えた前記伸縮抑制機能部分と、縦糸に対し横糸の打ち込み密度を変化させない前記伸縮機能部分より構成してあり、
さらに、前記伸縮機能部分は、少なくとも前記股布の長手方向中央ライン部にギャザーをつけるため縫着される股布側よりも短い長手方向の長さを有しており、
前記ストレッチテープを下着本体に縫製する際に前記伸縮機能部分を引き伸ばした状態で縫製されているのが好ましい（請求項２）。
【考案の効果】
【００１１】
請求項１に係る考案では、生理用ナプキンを防水布に当てがった状態で生理用下着を着用すると、股布の中央の前後は伸縮機能部分により伸長するが、股布の中央の形状は伸縮抑制機能部分により縮まることなく、また、伸びることなく保持されるので、生理用ナプキンを股部の所定の位置に安定的に保持させることができ、激しい運動等により体を動かした場合でも、生理用ナプキンの肌へのフィット性を保持しながら、生理用ナプキンのズレを防止することができる。
【００１２】
特に、請求項２に係る考案では、少なくとも股布の長手方向中央ライン部に設けた伸縮抑制機能部分の前後の伸縮機能部分にギャザーを寄せているので、生理用ナプキンが防水布に保持された状態で生理用下着を着用すると、少なくとも股布のギャザー部分が伸長し、その伸びたときの応力が股布の中央ではなく股布の中央の前後位置において生理用ナプキンを引き上げる力として作用し、そのため、股布の中央に位置する陰裂部や皮膚に生理用ナプキンを必要以上に強く押し当てることなくこれらに適度にフィットさせることができるとともに、激しい運動等により体を動かした場合でも、股布の中央の形状は縮まることなく、また、伸びることなく保持されており、股布の中央の前後位置において生理用ナプキンを引き上げる力が発生しているので、生理用ナプキンがずれたり、また、生理用ナプキンがよじれたりするのを防止することができる。さらに、生理用ナプキンを適度にフィットさせることができるので、生理用ナプキンのズレ防止を強化するあまり生理用ナプキンを必要以上に強く押し当てることにより起こるかゆみやかぶれを軽減することができる。
【図面の簡単な説明】
【００１３】
【図１】この考案の一実施形態で用いる構成部材としての中央がくびれた略鼓形の防水布と細幅のストレッチテープとこのストレッチテープが裏面（内側面）に縫着される中央がくびれた略鼓形の股布を前方（正面）右寄り側から見た分解斜視図である。
【図２】上記実施形態において、前身頃から股布およぴ後身頃にかけてストレッチテープが縫着されている下着本体の内側面と防水布とを後方（背面）側からみた分解斜視図である。
【図３】上記実施形態において、防水布が下着本体に縫着されている状態を示す斜視図である。
【図４】（Ａ）は、上記実施形態を示す正面図である。（Ｂ）は、上記実施形態を示す背面図である。
【図５】図２における下着本体を示す構成説明図である。
【図６】（Ａ）は、上記実施形態において、生理用ショーツを外側面側から見た構成説明図である。（Ｂ）は、その生理用ショーツを上面側から見た構成説明図である。
【図７】図６（Ｂ）に示す防水布よりも大きな防水布の取り付け状態を示す図である。
【考案を実施するための形態】
【００１４】
図１〜図６は、この考案に係る生理用下着の一実施形態を示す。なお、図６（Ｂ）、図５はいずれも内側面側から見ており、そのうち図６（Ｂ）は防水布を設けた状態を示し、図５は防水布を設ける前の状態を示している。
【００１５】
図１〜図６において、生理用下着（ショーツ）Ｓには、下着本体１の前身頃２の下端部と後身頃３の下端部を接合する中央がくびれた略鼓形の股布（マチ部）４の内側面側（内面側）に、生理用ナプキン（吸収性物品の一例）（図示せず）を当てがって保持するための中央がくびれた略鼓形の防水布５が設けられている。この実施形態では、前記防水布５の前端縁部５ａは、前記股布４の前端縁部４ａとともに、前身頃２の下端部と縫合されている。Ｍはその縫合部である。また、前記防水布５の後端縁部５ｂは、前記股布４の後端縁部４ｂとともに、後身頃４の下端部と縫合されている。Ｎはその縫合部である。また、前記防水布５の右端縁部５ｃは、前記股布４の右端縁部４ｃと縫合されている。ｍはその縫合部である。また、前記防水布５の左端縁部５ｄは、前記股布４の左端縁部４ｄと縫合されている。ｎはその縫合部である。なお、前記防水布５の右端縁部５ｃと前記股布４の右端縁部４ｃを縫合せずフリーの状態に保つとともに、前記防水布５の左端縁部５ｄと前記股布４の左端縁部４ｄを縫合せずフリーの状態に保つようにしてもよい。
【００１６】
以下、特徴的構成について説明する。
【００１７】
前記股布４は、その長手方向中央ライン（縦中心線）部に沿って内面側に取り付けられた細幅ａの矩形形状のストレッチテープ６を有している。図５において、二点鎖線で示すＡは長手方向中央ライン（縦中心線）である。なお、前記ストレッチテープ６は、前記股布４の前後端縁部４ａ，４ｂ間のみならず、前身頃２および後身頃３それぞれの長手方向中央ライン（縦中心線）Ａに沿って伸びており、特に後身頃３では、後身頃３の長手方向中央ライン（縦中心線）Ａに沿って伸びウェストまで到達する場合もある。
【００１８】
前記ストレッチテープ６は、図１に示すように、細幅ａ（例えば８〜１５ｍｍ程度で１０ｍｍが好ましい）の伸縮性の強いテープで、この実施形態では弾性繊維と繊維糸の織物である。前記ストレッチテープ６は、伸縮抑制機能部分７を前記股布４の中央に有する一方、その伸縮抑制機能部分７の前後に二つの伸縮機能部分８ａおよび８ｂを有している。さらに、前記ストレッチテープ６の長手方向（両矢印Ｂで示す方向）に施される縦糸に対し横糸の打ち込み密度を変化させることにより、伸びを抑えた前記伸縮抑制機能部分７を有しており、二つの前記伸縮機能部分８ａ，８ｂに挟まれるように構成している。しかも図５に示すように、前身頃２の特定位置ａと股布４の前身頃側特定位置ｂ間にわたり長手方向中央ライン（縦中心線）Ａにギャザーをつけるため、また、股布４の後身頃側特定位置ｃと後身頃３の特定位置ｄ間にわたり長手方向中央ライン（縦中心線）Ａにギャザーをつけるため前記ストレッチテープ６の前記伸縮機能部分８ａは、図１に示すように、縫着される前身頃２と股布４に沿った前記ａ，ｂ間の長さＥよりも短い長手方向（Ｂ方向）の長さＦ（＜Ｅ）を有するとともに、前記ストレッチテープ６の前記伸縮機能部分８ｂは、図１に示すように、縫着される股布４と後身頃３に沿った前記ｃ，ｄ間の長さＧ側よりも短い長手方向（Ｂ方向）の長さＨ（＜Ｇ）を有している。そして、前記ストレッチテープ６を下着本体１に縫製する際に前記伸縮機能部分８ａおよび８ｂをそれぞれ引き伸ばした状態で縫製されている。例えば前記伸縮機能部分８ａを伸ばした状態で前身頃２および股布４に縫着して、前身頃２および股布４の該部分を前後に縫い縮めることによりギャザーを寄せている。９はそのギャザー部分である。また、前記伸縮機能部分８ｂを伸ばした状態で股布４および後身頃３に縫着して、股布４および後身頃３の該部分を前後に縫い縮めることによりギャザーを寄せている。１０はそのギャザー部分である。この実施形態では、前記股布４の伸縮抑制機能部分７が交差する最小幅Ｉが７０ｍｍ〜８０ｍｍの場合、伸縮抑制機能部分７の長さＪは５０ｍｍ〜７０ｍｍが好ましく、６０ｍｍがより好ましい。さらに、前記ｃ，ｄ間の長さＧは１１５ｍｍ程度が好ましく、ｅ，ｂ間の長さは４０ｍｍ程度が好ましい。ｅは縫合部Ｍと長手方向中央ライン（縦中心線）Ａの交点位置である。
【００１９】
而して、生理用ナプキンが防水布５に保持された状態でショーツＳを着用すると、伸縮抑制機能部分７の前後に位置する伸縮機能部分８ａおよび８ｂにそれぞれ形成したギャザー部分９および１０が伸長し、その伸びたときの応力が股布４の中央ではなく股布４の中央の前後位置において生理用ナプキンを引き上げる力として作用し、そのため、股布４の中央の伸縮抑制機能部分７に位置する陰裂部や皮膚に生理用ナプキンを必要以上に強く押し当てることなくこれらに適度にフィットさせることができるとともに、激しい運動等により体を動かした場合でも、股布の中央の形状は縮まることなく、また、伸びることなく保持されており、股布４の中央の前後位置において生理用ナプキンを引き上げる力が発生しているので、生理用ナプキンがずれたり、また、生理用ナプキンがよじれたりするのを防止することができる。
【００２０】
なお、前記防水布５の前端縁部５ａを、前身頃２の下端部と縫合部Ｍで縫合するとともに、前記防水布５の後端縁部５ｂを、後身頃４の下端部と縫合部Ｎで縫合する構成のものを示したが、この考案は、前記防水布５よりも大きな防水布５’にも適用することができる。すなわち、図７に示すように、前記大きな防水布５’の前端縁部５ａ’を、二点鎖線で示す縫合部Ｍの位置を超えて前身頃２と直接縫合するとともに、前記防水布５’の後端縁部５ｂ’を、二点鎖線で示す縫合部Ｎの位置を超えて後身頃３と直接縫合している。この場合、防水布５’の右端縁部５ｃ’を、前身頃２の右端縁部分２ｃ、前記股布４の右端縁部４ｃおよび後身頃３にわたり縫合するとともに、前記防水布５’の左端縁部５ｄ’を、前身頃２の左端縁部分２ｄ、前記股布４の左端縁部４ｄおよび後身頃３にわたり縫合してもよく、また、防水布５’の右端縁部５ｃ’のうち後端縁部分ｍ’と、防水布５’の左端縁部５ｄ’のうち後端縁部分ｎ’のみをそれぞれ縫合するだけで、それ以外の右端縁部５ｃ’および左端縁部５ｄ’をフリーの状態に保つようにしてもよい。
【符号の説明】
【００２１】
１            下着本体
２            前身頃
３            後身頃
４            股布
５            防水布
６            ストレッチテープ
７            伸縮抑制機能部分
８ａ，８ｂ    伸縮機能部分
Ａ            長手方向中央ライン
【図１】
0003158173.tif 000003
【図２】
0003158173.tif 000004
【図３】
0003158173.tif 000005
【図４】
0003158173.tif 000006
【図５】
0003158173.tif 000007
【図６】
0003158173.tif 000008
【図７】
0003158173.tif 000009